(57)【要約】【課題】記録番組の編集作業を行う際の、再生やダビングしたい番組の再生位置情報の設定においては、番組毎に個別に番組先頭からの位置情報を抽出あるいは設定していくといった煩雑さがあった。【解決手段】メディア装置１に記録された、帯番組の所定の回の番組データの編集を手動で行う手動編集手段８と、編集結果から基準編集情報を自動的に作成する基準編集情報作成手段９と、基準編集情報に基づいて、メディア装置に記録された、前記帯番組の前記所定の回よりも後の番組データの編集を自動的に行う自動編集手段１１とを備えた編集装置。【選択図】  図１
2004326953.tif 000002
【特許請求の範囲】
【請求項１】
メディア装置に記録されたデータの編集を手動で行う手動編集手段と、
前記編集結果から基準編集情報を自動的に作成する基準編集情報作成手段と、
前記基準編集情報に基づいて、前記メディア装置に記録された他データの編集を自動的に行う自動編集手段とを備えた編集装置。
【請求項２】
前記データとは、帯番組の所定の回の番組データであり、前記他データとは、前記所定の回よりも後の番組データである請求項１記載の編集装置。
【請求項３】
番組の予約記録を行うために日時を管理する日時情報管理手段と、
前記番組の予約のための基本情報を設定する予約番組基本情報設定手段と、
前記予約された番組の記録を実行する予約記録実行手段と、
予約記録される前記番組の補足タイトルを自動的に生成する番組補足タイトル自動生成手段とを備えた記録再生装置。
【請求項４】
前記番組の補足タイトルは、
少なくとも、前記日時情報管理手段から得られる日時情報、又は前記予約記録実行手段から得られる予約実行回数情報を含む請求項３記載の記録再生装置。
【請求項５】
データの記録、又は再生を行う第１のメディア装置と、
データの記録、又は再生を行う第２のメディア装置と、
番組の予約記録を行うために日時を管理する日時情報管理手段と、
前記番組の予約記録を行うための基本情報を設定する予約番組基本情報設定手段と、
前記予約された番組のダビングを指示するダビング自動指示手段と、
前記予約された番組の記録を実行し、前記第１のメディア装置に記録する予約記録実行手段と、
前記番組の予約記録後、前記指示に従い前記第１のメディア装置から前記第２のメディア装置へ自動でダビングを行う予約番組自動ダビング制御手段とを備えた記録再生ダビング装置。
【請求項６】
前記第１のメディア装置に記録された前記データの編集を手動で行う手動編集手段と、
前記編集結果から基準編集情報を自動的に作成する基準編集情報作成手段と
前記基準編集情報に基づいて、前記第１のメディア装置に記録された他データの編集を自動的に行う自動編集手段とを更に備え、
前記予約番組自動ダビング制御手段は、前記指示に従い前記自動編集手段によって編集された前記他データを前記第１のメディア装置から前記第２のメディア装置へ自動でダビングを行う予約番組自動ダビング制御手段である請求項５記載の記録再生ダビング装置。
【請求項７】
メディア装置に記録されたデータの編集を手動で行う手動編集工程と、
前記編集結果から基準編集情報を自動的に作成する基準情報作成工程と、
前記基準編集情報に基づいて、前記メディア装置に記録された他データの編集を自動的に行う自動編集工程とを備えた編集方法。
【請求項８】
番組の予約のための基本情報を設定する予約番組基本情報設定工程と、
前記予約された番組の記録を実行する予約記録実行工程と、
予約記録される前記番組の補足タイトルを自動的に生成する番組補足タイトル自動生成工程とを備えた記録再生方法。
【請求項９】
番組の予約のための基本情報を設定する予約番組基本情報設定工程と、
前記予約された番組のダビングを指示するダビング自動指示工程と、
前記予約された番組の記録を実行し、前記第１のメディア装置に記録する予約記録実行工程と、
前記番組の予約記録後、前記指示に従い前記第１のメディア装置から第２のメディア装置へ自動でダビングを行う予約番組自動ダビング制御工程とを備えた記録再生ダビング方法。
【請求項１０】
請求項１記載の編集装置の、
前記編集結果から基準編集情報を自動的に作成する基準編集情報作成手段と、
前記基準編集情報に基づいて、前記メディア装置に記録された他データの編集を自動的に行う自動編集手段としてコンピュータを機能させるプログラム。
【請求項１１】
請求項３記載の記録再生装置の
前記番組の予約記録を行うために日時を管理する日時情報管理手段と、
前記予約された番組の記録を実行する予約記録実行手段と、
予約記録される前記番組の補足タイトルを自動的に生成する番組補足タイトル自動生成手段としてコンピュータを機能させるプログラム。
【請求項１２】
請求項５記載の記録再生ダビング装置の
番組の予約記録を行うために日時を管理する日時情報管理手段と、
前記予約された番組のダビングを指示するダビング自動指示手段と、
前記予約された番組の記録を実行する予約記録実行手段と、
前記番組の予約記録後、前記指示に従い前記第１のメディア装置から前記第２のメディア装置へ自動でダビングを行う予約番組自動ダビング制御手段としてコンピュータを機能させるプログラム。
【請求項１３】
請求項１０、１１、又は１２記載のプログラムを担持した記録媒体であって、コンピュータで利用可能な記録媒体。
【発明の詳細な説明】
【０００１】
【発明に属する技術分野】
本発明は、編集装置、記録再生装置、記録再生ダビング装置、編集方法、記録再生方法、及び記録再生ダビング方法に関する。
【０００２】
【従来の技術】
記録した番組の再生や、ダビングしたい番組の再生位置情報を編集情報として手動で設定し、再生、又はダビングをすることは一般的に行われている。或いは、番組のＣＭ部分を飛ばして再生する方法も一般的である。又、番組記録時に番組タイトルを入力あるいは自動的に取得することも一般的に行われている。
【０００３】
一方、番組の予約記録時に録画日、録画開始・終了時刻、チャンネル、番組タイトルなどの記録番組の管理情報と、記録番組の全部又は一部をも不揮発性記憶媒体に記録させ、その情報を用いて記録番組の頭出しや検索再生する装置が開示されている（例えば、特許文献１参照。）。
【０００４】
【特許文献１】
特開２００１−３４４８９５号公報
【０００５】
【発明が解決しようとする課題】
しかしながら、上述のような記録番組の編集作業を行う上で、再生やダビングしたい番組の再生位置情報の設定においては、番組毎に個別に番組先頭からの位置情報を抽出あるいは設定していくといった煩雑さがあった。
【０００６】
又、番組タイトル情報の設定においては、番組名までは自動的に取得できる方法も実用化されているが、日時情報やシリーズ情報までは正しく付与されない場合が多く、記録後に手動でタイトル情報の追加修正を行う必要があった。
【０００７】
又、記録番組のダビングにおいては、ダビングしたい番組をその都度手動で選択操作を行う必要があった。
【０００８】
この様に、記録番組の編集からダビング操作までの一連の作業に時間や手間がかかるという課題があった。
【０００９】
本発明は、上記従来の記録再生装置の課題を考慮し、編集作業を削減することが可能な編集装置、及び編集方法を提供することを目的とする。
【００１０】
又、本発明は、記録後に手動でタイトル情報の追加修正を行う必要のない記録再生装置、及び記録再生方法を提供することを目的とする。
【００１１】
又、本発明は、番組を記録後、自動でダビングを行うことによって、選択操作を省略することが可能な記録再生ダビング装置、及び記録再生ダビング方法を提供することを目的する。
【００１２】
【課題を解決するための手段】
上述した課題を解決するために、第１の本発明は、メディア装置に記録されたデータの編集を手動で行う手動編集手段と、前記編集結果から基準編集情報を自動的に作成する基準編集情報作成手段と、前記基準編集情報に基づいて、前記メディア装置に記録された他データの編集を自動的に行う自動編集手段とを備えた編集装置である。
【００１３】
又、第２の本発明は、前記データとは、帯番組の所定の回の番組データであり、前記他データとは、前記所定の回よりも後の番組データである第１の本発明の編集装置である。
【００１４】
又、第３の本発明は、番組の予約記録を行うために日時を管理する日時情報管理手段と、前記番組の予約のための基本情報を設定する予約番組基本情報設定手段と、前記予約された番組の記録を実行する予約記録実行手段と、予約記録される前記番組の補足タイトルを自動的に生成する番組補足タイトル自動生成手段とを備えた記録再生装置である。
【００１５】
又、第４の本発明は、前記番組の補足タイトルは、少なくとも、前記日時情報管理手段から得られる日時情報、又は前記予約記録実行手段から得られる予約実行回数情報を含む第３の本発明の記録再生装置である。
【００１６】
又、第５の本発明は、データの記録、又は再生を行う第１のメディア装置と、データの記録、又は再生を行う第２のメディア装置と、番組の予約記録を行うために日時を管理する日時情報管理手段と、前記番組の予約記録を行うための基本情報を設定する予約番組基本情報設定手段と、前記予約された番組のダビングを指示するダビング自動指示手段と、前記予約された番組の記録を実行し、前記第１のメディア装置に記録する予約記録実行手段と、前記番組の予約記録後、前記指示に従い前記第１のメディア装置から前記第２のメディア装置へ自動でダビングを行う予約番組自動ダビング制御手段とを備えた記録再生ダビング装置である。
【００１７】
又、第６の本発明は、前記第１のメディア装置に記録された前記データの編集を手動で行う手動編集手段と、前記編集結果から基準編集情報を自動的に作成する基準編集情報作成手段と、前記基準編集情報に基づいて、前記第１のメディア装置に記録された他データの編集を自動的に行う自動編集手段とを更に備え、前記予約番組自動ダビング制御手段は、前記指示に従い前記自動編集手段によって編集された前記他データを前記第１のメディア装置から前記第２のメディア装置へ自動でダビングを行う予約番組自動ダビング制御手段である第５の本発明の記録再生ダビング装置である。
【００１８】
又、第７の本発明は、メディア装置に記録された前記データの編集を手動で行う手動編集工程と、前記編集結果から基準編集情報を自動的に作成する基準情報作成工程と、前記基準編集情報に基づいて、前記メディア装置に記録された他データの編集を自動的に行う自動編集工程とを備えた編集方法である。
【００１９】
又、第８の本発明は、番組の予約のための基本情報を設定する予約番組基本情報設定工程と、前記予約された番組の記録を実行する予約記録実行工程と、予約記録される前記番組の補足タイトルを自動的に生成する番組補足タイトル自動生成工程とを備えた記録再生方法である。
【００２０】
又、第９の本発明は、番組の予約のための基本情報を設定する予約番組基本情報設定工程と、前記予約された番組のダビングを指示するダビング自動指示工程と、前記予約された番組の記録を実行し、第１のメディア装置に記録する予約記録実行工程と、前記番組の予約記録後、前記指示に従い前記第１のメディア装置から第２のメディア装置へ自動でダビングを行う予約番組自動ダビング制御工程とを備えた記録再生ダビング方法である。
【００２１】
又、第１０の本発明は、第１の本発明の編集装置の、前記編集結果から基準編集情報を自動的に作成する基準編集情報作成手段と、前記基準編集情報に基づいて、前記メディア装置に記録された他データの編集を自動的に行う自動編集手段としてコンピュータを機能させるプログラムである。
【００２２】
又、第１１の本発明は、第３の本発明の記録再生装置の前記番組の予約記録を行うために日時を管理する日時情報管理手段と、前記予約された番組の記録を実行する予約記録実行手段と、予約記録される前記番組の補足タイトルを自動的に生成する番組補足タイトル自動生成手段としてコンピュータを機能させるプログラムである。
【００２３】
又、第１２の本発明は、第５の本発明の記録再生ダビング装置の番組の予約記録を行うために日時を管理する日時情報管理手段と、前記予約された番組のダビングを指示するダビング自動指示手段と、前記予約された番組の記録を実行する予約記録実行手段と、前記番組の予約記録後、前記指示に従い前記第１のメディア装置から前記第２のメディア装置へ自動でダビングを行う予約番組自動ダビング制御手段としてコンピュータを機能させるプログラムである。
【００２４】
又、第１３の本発明は、第１０、１１、又は１２の本発明のプログラムを担持した記録媒体であって、コンピュータで利用可能な記録媒体である。
【００２５】
【発明の実施の形態】
以下に、本発明の実施の形態について図面を参照して説明する。
【００２６】
（実施の形態１）
図１は、本発明の編集装置、記録再生装置、及び記録再生ダビング装置の一例であるチューナ機能付きのハードディスク内蔵ＤＶＤ記録再生装置のブロック図である。
【００２７】
図１に示す様に、本実施の形態１におけるチューナ機能付きのハードディスク内蔵ＤＶＤ記録再生装置は、本発明のデータの一例である映像、音声、又はデータ放送の少なくとも一つ以上の記録再生が可能な、第１のメディア装置１と、第２のメディア装置２を備えている。尚、この第１のメディア装置１は、本実施の形態１では、ハードディスクに相当し、第２のメディア装置２は、ＤＶＤレコーダに相当する。この第１のメディア装置１と第２のメディア装置２の記録再生を制御するための第１のメディア装置制御手段３、及び第２のメディア装置制御手段４が設置されている。
【００２８】
又、本実施の形態１におけるチューナ機能付きのハードディスク内蔵ＤＶＤ記録再生装置は、リモコンや本体操作釦などのキー入力の検出を行うキー入力検出手段５と、ユーザ操作に必要な操作情報や各手段で適時ユーザに知らせるべき表示をする表示手段６とを備えている。
【００２９】
又、データの編集を行う編集装置７が設置されている。この編集装置７は、記録された番組に関する編集情報（例えば、再生位置情報）を手動で編集して番組単位での編集情報を作成する手動編集手段８を有している。又、編集装置７は、手動編集手段８による編集の結果に基づいて、自動的に基準編集情報を作成する基準編集情報作成手段９を有している。この基準編集情報を基に、別の記録番組の編集情報を自動的に変換して、自動変換情報を生成する編集情報自動変換手段１０が設置されている。この自動変換情報に基づいて、別の記録番組の編集を行う自動編集手段１１と、基準編集情報、及び自動変換情報を管理する編集情報管理手段１２が設置されている。
【００３０】
即ち、編集装置７は、手動編集手段８、基準編集情報作成手段９、編集情報自動変換手段１０、自動編集手段１１、及び編集情報管理手段１２から構成されている。
【００３１】
又、本実施の形態１におけるチューナ機能付きのハードディスク内蔵ＤＶＤ記録再生装置は、番組の予約記録を行うための予約記録設定実行装置１３を備えている。この予約記録設定実行装置１３は、番組の予約記録の基本情報（例えば、記録開始時刻や番組名）を設定する予約番組基本情報設定手段１４と、編集情報管理手段１２で管理される編集情報を含む予約番組の編集モード情報を設定する予約番組編集情報設定手段１５とを有している。又、予約記録設定実行装置１３は、予約記録される番組の補足タイトル（例えば、記録日時情報や予約実行回数情報）を自動的に生成する番組補足タイトル自動生成手段１６と、予約記録を行うための予約記録実行手段１７を有している。
【００３２】
又、本実施の形態１の編集機能付き記録再生ダビング装置は、ダビングを行うためのダビング予約実行装置１８を有している。このダビング予約実行装置１８は、予約番組の記録後、自動的に記録番組のダビングを行うかを設定するダビング自動指示手段１９を有している。又、ダビング予約実行装置１８は、ダビング自動指示手段１９による指示に従って、予約番組編集情報設定手段１５において設定された予約番組の編集モード情報に基づいて、予約記録された番組の自動ダビングを行う予約番組自動ダビング制御手段２０を有している。
【００３３】
又、編集情報や予約記録に関する情報等を記憶させるための不揮発性記憶媒体２１と、予約記録実行手段１７や番組補足タイトル自動生成手段１６で使用される日時情報を生成管理する日時情報管理手段２２が設置されている。更に、上記各手段をコントロールするためのシステム制御手段２３が設置されている。
【００３４】
上記構成の本実施の形態１におけるチューナ機能付きのハードディスク内蔵ＤＶＤ記録再生装置を用いた動作について以下に述べるとともに、本発明の編集方法、記録再生方法、及び記録再生ダビング方法の一実施の形態について同時に述べる。
【００３５】
図２は、既に記録されている番組について、編集装置７による編集情報の新規作成又は修正作業によって、基準編集情報の作成を示すフローチャートである。
【００３６】
図２に示す様に、始めに、ステップ２ａにて、キー入力検出手段５からのキー入力情報の判定が、システム制御手段２３によって行われる。その結果が真の場合（即ち、キー入力情報が有りの場合）は、次に、ステップ２ｂにて、そのキー入力情報が手動編集要求有り情報かどうかの判定が行われる。その結果が真の場合（即ち、手動編集要求有りの場合）は、ステップ２ｃにて、編集する番組の選択を行う。
【００３７】
次に、ステップ２ｄにて、手動編集手段８によって、新規に編集作業を行う。続いて、ステップ２ｅにて、編集結果に基づいて、編集情報（例えば、再生位置情報）が基準編集情報として、基準編集情報作成手段９によって作成され、あるいは既に作成された基準編集情報の修正が行われる。最後に、ステップ２ｆにて、作成した基準編集情報を不揮発性記憶媒体２１へ書き込む。
【００３８】
一方、ステップ２ａ、ステップ２ｂの結果が偽の場合は、そのまま処理を終了する。以上に示す様に、これらの動作により基準編集情報が作成される。
【００３９】
図３は、新たに記録された番組を、上記操作によって作成された基準編集情報に基づいて、編集を行うフローチャートである。尚、以下の操作では、基準編集情報が作成された番組と、新たに記録された番組は、同一構成を持つ番組である。この同一構成を持つ番組とは、毎日又は毎週など同じチャンネル、同じ開始終了時刻、更に番組の開始終了部分の開始時刻や時間長が毎番組毎に同じであり、又、定期時刻に始まり一定時間長を有する番組本編パートが存在する番組（帯番組等）である。
【００４０】
図３に示す様に、始めに、ステップ３ａにて、キー入力発生時にキー入力検出手段５からのキー入力情報の判定が、システム制御手段２３によって行われる。結果が真の場合（キー入力情報が有りの場合）は、次に、ステップ３ｂにて、そのキー入力情報が、編集情報自動変換要求有り情報か否かの判定が行われる。その結果が真なら、次に、ステップ３ｃにて、編集情報の生成を行いたい番組の選択をシステム制御手段２３を用いて行う。次に、ステップ３ｄにて、該当する基準編集情報を、編集情報管理手段１２によって不揮発性記憶媒体２１から読み込む。
【００４１】
次に、ステップ３ｅにて、読み出された基準編集情報に基づいて、選択された番組用の編集情報を、編集情報自動変換手段１０を用いて自動変換生成する。次に、ステップ３ｆにて、自動変換された編集情報に基づいて、選択された番組の編集を、自動編集手段１１を用いて行う。次に、ステップ３ｇにて、ステップ３ｅで生成された編集情報を、選択された番組用の編集情報として不揮発性記憶媒体２１へ、編集情報管理手段１２により書き込み処理を行う。
【００４２】
尚、ここで記述している編集情報自動変換生成処理の一例を以下に説明する。記録時に各番組（番組Ａ、Ｂ・・・とする。）単位で番組先頭からの時間情報とメディア上の物理記録位置（例えば、セクター情報）との関連付けを行うことは一般的に行われている。作成された番組Ａの基準編集情報、即ち再生、又はダビングしたい再生位置情報を、番組Ａの先頭からの相対時間情報として設定する。
【００４３】
次に、自動変換生成処理において別の番組（番組Ｂ）の番組先頭からの再生位置情報として番組Ａの再生位置情報を適用し、再生位置情報を番組Ｂの物理記録位置に変換することで、番組Ｂ用の編集情報が自動変換生成される。
【００４４】
この様に、再生位置情報の設定作業については、最初の記録番組に対して１回のみ基準編集情報として設定するだけで、以後同一構成を持つ番組については、番組予約時に適用したい基準編集情報の選択を行うだけで良く、編集作業を簡便に行うことが出来る。
【００４５】
図４は、予約番組基本情報設定から自動ダビング生成処理までの動作を示す概略フローチャートである。図４に示す様に、始めに、ステップ４ａにて、番組の予約記録を行うために予約設定を行う。次に、ステップ４ｂにて、番組の予約記録が開始される。予約記録が開始されると、次に、ステップ４ｃにて、予約設定の確認が行われ、番組補足タイトル情報の生成が行われる。
【００４６】
次に、ステップ４ｄにて録画が終了したかどうかの判定が行われる。結果が真の場合（録画が終了している場合）次に、ステップ４ｅにて、自動編集を行うための基準編集情報の選択が行われているか否かの判定が行われる。結果が真の場合（基準編集情報の選択が行われている場合）は、ステップ４ｆにて、予約記録を行った番組の自動編集が行われる。次に、ステップ４ｇにて、自動ダビング要求がされたか否かの判定が行われる。結果が真の場合（自動ダビング要求がされていた場合）は、ステップ４ｈにて自動ダビングが行われる。
【００４７】
尚、ステップ４ｄで、判定結果が偽の場合は、録画が終了するまで判定が行われる。又、ステップ４ｅにて、判定結果が偽の場合は、自動ダビング要求判定処理を行うステップ４ｇへ進み、又、ステップ４ｇにて、判定結果が偽の場合は、終了する。
【００４８】
以下に、各ステップの詳細を説明する。図５は、番組の予約設定を行う工程（図４におけるステップ４ａ）のフローチャートである。
【００４９】
図５に示す様に、ステップ５ａにて、キー入力発生時にキー入力検出手段５からのキー入力情報の判定が、システム制御手段２３によって行われる。結果が真の場合（キー入力情報が有りの場合）には、次に、ステップ５ｂにて、更にそのキー入力情報が予約記録設定要求有り情報かどうかの判定が行われる。
【００５０】
次に、結果が真の場合（予約記録設定要求有りの場合）、ステップ５ｃにて、予約記録したい番組の開始及び終了時刻、番組チャンネル及び番組名等、予約記録に必要な基本情報の設定を、予約番組基本情報設定手段１４を用いて行う。続いて、ステップ５ｄにて、編集情報管理手段１２において管理されている基準編集情報から、予約した番組に該当する構成の番組の基準編集情報の選択を、予約番組編集情報設定手段１５を用いて行う。
【００５１】
次に、ステップ５ｅにて、予約番組基本情報設定手段１４で設定された番組名に、番組補足タイトル情報として記録日時情報、又はシリーズ回数情報として予約記録回数情報を追加設定するか否かの日時情報自動取得ＯＮ／ＯＦＦ設定、及び予約実行回数取得ＯＮ／ＯＦＦ設定を行う。
【００５２】
次に、ステップ５ｆにて、予約記録番組を予約記録後に自動的にダビングするか否かの自動ダビングＯＮ／ＯＦＦ設定を行う。最後に、ステップ５ｇにて、ステップ５ｃからステップ５ｆまでにおいて設定した予約番組基本情報及び予約番組編集情報の不揮発性記憶媒体２１への書き込みが行われる。一方、ステップ５ａ及びステップ５ｂの結果が偽の場合は、そのまま処理を終了する。
【００５３】
図６は、予約番組の記録開始（図４におけるステップ４ｂ）から、番組予約設定確認と補足タイトルの生成（図４におけるステップ４ｃ）までのフローチャートである。
【００５４】
始めに、ステップ４ｂにおいて、予約記録実行手段１７による予約記録の開始が、システム制御手段２３によって検知される。次に、ステップ６ａにて、日時情報自動取得ＯＮ／ＯＦＦ設定がＯＮかどうかの判定が、番組補足タイトル自動生成手段１６によって行われる。結果が真の場合は、続いて、ステップ６ｃにて、予約実行回数取得ＯＮ／ＯＦＦ設定がＯＮかどうかの判定が行われる。結果が真の場合は、ステップ６ｆにて、番組補足タイトル自動生成手段１６によって番組補足タイトル情報として記録日時情報と予約実行回数情報が用いられ、最終的な番組タイトル情報が、「番組名＋記録日時情報＋予約実行回数情報」に設定される。
【００５５】
例えば、番組名が「ドラマ１」で記録日時が「２００３年２月１０日」で、予約実行回数が「１回目」の場合、最終的な番組タイトル情報は、「ドラマ１−２００３年２月１０日−１回目」に設定される。
【００５６】
又、ステップ６ｃの結果が偽の場合は番組補足タイトル情報として記録日時情報を用いて、最終的な番組タイトル情報が、「番組名＋記録日時情報」に設定される。
【００５７】
例えば、番組名が「ニュース１」で記録日時が「２００３年２月１０日」の場合、最終的な番組タイトル情報は、「ニュース１−２００３年２月１０日」に設定される。
【００５８】
又、ステップ６ａの結果が偽の場合、続いてステップ６ｂにて、予約実行回数取得ＯＮ／ＯＦＦ設定がＯＮかどうかの判定が行われる。結果が真の場合は、続いて、ステップ６ｄにて、番組補足タイトル情報として予約実行回数情報を用いて、最終的な番組タイトル情報が、「番組名＋予約実行回数情報」に設定される。
【００５９】
例えば、番組名が「ドラマ１」で予約実行回数が「１回目」の場合、「ドラマ１−１回目」に設定される。
【００６０】
一方、ステップ６ｂの結果が偽の場合は、そのまま処理を終了する。
【００６１】
最後に、ステップ６ｇにて、ステップ６ｄ、ステップ６ｅ、及びステップ６ｆにより確定した番組補足タイトル情報が、編集情報管理手段１２によって、不揮発性記憶媒体２１への書き込まれる。
【００６２】
図７は、予約番組の記録実行終了（図４におけるステップ４ｄ）から、自動ダビング要求有りか否かの判定（図４におけるステップ４ｇ）までの動作を示したフロー図である。
【００６３】
始めに、ステップ４ｄにて、予約記録実行手段１７による予約記録の実行が終了したか否かが判定される。結果が真の場合（終了した場合）、次に、ステップ４ｅで、基準編集情報の選択が有りか否かの判定が行われる。結果が真の場合（基準編集情報の選択有りの場合）、自動編集工程であるステップ４ｆに進む。
【００６４】
自動編集工程では、始めに、ステップ７ａにて、該当する基準編集情報が、編集情報管理手段１２によって不揮発性記憶媒体２１から読み込まれる。続いて、ステップ７ｂにて、選択された番組用の編集情報が、読み出した基準編集情報に基づいて、編集情報自動変換手段１０によって自動変換生成される。次に、ステップ７ｃにて、変換された編集情報に基づいて、予約記録された番組が、自動編集手段１１によって自動編集される。
【００６５】
続いて、ステップ７ｄに進み、自動変換生成処理において生成された編集情報が、選択された番組用の編集情報として、編集情報管理手段１２によって不揮発性記憶媒体２１へ書き込まれる。
【００６６】
一方、ステップ４ｄにおいて、結果が偽の場合は、予約番組の実行が終了するまで、繰り返し検出が行われる。又、ステップ４ｅにおける結果が偽の場合は、自動編集工程であるステップ４ｆを終了し、ステップ４ｇへ進む。
【００６７】
次に、ステップ４ｇにて、自動ダビングＯＮ／ＯＦＦ設定がＯＮかどうかの判断が行われる。結果が真の場合は、図４における予約番組自動ダビング処理であるステップ４ｈへ進む。
【００６８】
図８は、予約番組自動ダビング処理工程（図４のステップ４ｈ）のフローチャートである。
【００６９】
図８に示す様に、始めに、ステップ８ａにて、ダビング先のメディアの挿入などダビング準備が出来ているかどうかの判断が、予約番組自動ダビング制御手段２０によって行われる。結果が真の場合は、ステップ８ｂにて、該当する編集情報を含んだ編集モード情報が、編集情報管理手段１２によって不揮発性記憶媒体２１から読み出される。
【００７０】
次に、ステップ８ｃにて、番組タイトル情報が読み出される。続いて、ステップ８ｄにて、第１のメディア装置１から第２のメディア装置２へのダビング処理を、読み出された編集モード情報に基づいて行う。一方、ステップ８ａにおける結果が偽の場合は、「ダビング動作が出来ない」という警告表示を表示手段６によって表示して処理を終了する。
【００７１】
又、図９は、基準編集情報、編集情報自動変換手段１０によって自動生成された編集情報、予約番組基本情報設定手段１４によって設定された番組名、番組補足タイトル自動生成手段１６によって自動作成された番組補足タイトル情報、及び最終に確定した確定番組タイトル情報の一例を示したものである。
【００７２】
図９に示す様に、番組Ａを手動で編集することによって、基準編集情報を作成する。又、番組補足タイトルである日時情報も取得し、確定番組タイトルとして、「番組名＋日時情報」である「ニュース９−２００３年２月１０日」が確定する。番組は同じで、放送日時が異なるのが、番組Ｂ及び番組Ｃである。この番組Ｂ及びＣは、番組Ａで作成された基準編集情報を変換した自動変換情報に基づいて編集が行われ、又、番組名に日時情報を付加し、確定番組タイトルが作成される。
【００７３】
又、録画したドラマを番組Ｄとして、手動で編集を行い、基準編集情報を作成する。又、番組補足タイトル情報である予約実行回数情報も取得し、確定番組タイトルとして、「番組名＋予約実行回数」である「ドラマ１−１回目」が確定する。そのドラマの放送日時が異なるのが、番組Ｅ及び番組Ｆである。この番組Ｅ及び番組Ｆは、番組Ｃで作成された基準編集情報を変換した自動変換情報に基づいて、編集が行われ、又、番組名に予約実行回数を付加し、確定番組タイトルが作成される。
【００７４】
以上の様に、再生位置情報の設定作業については、最初の記録番組に対して１回のみ基準編集情報として設定するだけで良く、以後の同一構成を持つ番組については、番組予約時に適用したい基準編集情報の選択を行うだけで良いため、編集作業を簡単に行うことが出来る。
【００７５】
又、番組予約時に予約番組の番組名の設定と番組補足タイトルを自動生成させるための、日時情報自動取得ＯＮ／ＯＦＦ設定、及び予約実行回数取得ＯＮ／ＯＦＦ設定を行うだけで、番組記録後に補足タイトルを手動で追加する必要がなく、補足タイトル情報の設定を含めた番組タイトル情報の設定作業が出来る。
【００７６】
又、ダビング操作については、番組予約時に予約記録終了後に自動的にダビング動作を行うための自動ダビングＯＮ／ＯＦＦ設定を行うだけで良く、番組の選択を行う必要がなく、ダビング操作を簡単にすることが出来た。
【００７７】
この様に、本実施の形態１によれば、同じ構成を持つ番組についての再生位置情報の設定作業といった編集作業並びに、記録番組の番組タイトル設定及びダビング操作を簡単にすることが出来る。
【００７８】
尚、本発明の編集装置、記録再生装置、及び記録再生ダビング装置は、本実施の形態１におけるチューナ機能付きのハードディスク内蔵ＤＶＤ記録再生装置に相当するが、再生位置情報の設定や番組タイトル情報の設定といった編集作業については、映像、音声、及びデータの少なくとも一つ以上を記録及び／又は再生するものでありさえすれば良い。
【００７９】
又、ダビング操作については本発明の一つのメディア装置を内蔵した記録再生装置と他の外部記録再生装置とを外部接続ケーブルにて接続し、本発明の記録再生装置と前記外部記録再生装置間において、ダビングを希望する記録番組情報と互いにコントロールすることが出来る通信コマンドを実装する構成でも良い。
【００８０】
本発明の記録再生ダビング装置において、上述したように、番組予約時の予約番組編集情報に更に、ダビング先のメディア情報（例えば、メディア種類やメディア番号）の指定や複数記録された番組のダビング順序を指定する設定項目を追加することで、より細かなダビング操作を簡単に行うことが出来る。
【００８１】
又、本実施の形態１では、図４に示す様に、番組補足タイトル作成と、ダビング作業を予約設定時に、設定することによって、自動で番組補足タイトルを作成し、自動ダビングを行うが、予約記録終了後に、番組補足タイトルを付加し、又、記録した番組を選択し、ダビングを行うことも出来る。
【００８２】
尚、本発明のプログラムは、上述した本発明の編集装置の全部又は一部の手段の機能をコンピュータにより実行させるためのプログラムであって、コンピュータと協働して動作するプログラムである。
【００８３】
又、本発明のプログラムは、上述した本発明の記録再生装置の全部又は一部の手段の機能をコンピュータにより実行させるためのプログラムであって、コンピュータと協働して動作するプログラムである。
【００８４】
又、本発明のプログラムは、上述した本発明の記録再生ダビング装置の全部又は一部の手段の機能をコンピュータにより実行させるためのプログラムであって、コンピュータと協働して動作するプログラムである。
【００８５】
又、本発明の記録媒体は、上述した本発明の編集装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８６】
又、本発明の記録媒体は、上述した本発明の記録再生装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８７】
又、本発明の記録媒体は、上述した本発明の記録再生ダビング装置の全部又は一部の手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００８８】
尚、本発明の上記「一部の手段」とは、それらの複数の手段の内の、一つ又は幾つかの手段を意味する。
【００８９】
又、本発明の上記「手段の機能」とは、前記手段の全部又は一部の機能を意味する。
【００９０】
又、本発明のプログラムの一利用形態は、コンピュータにより読み取り可能な記録媒体に記録され、コンピュータと協働して動作する態様であっても良い。
【００９１】
又、本発明のプログラムの一利用形態は、伝送媒体中を伝送し、コンピュータにより読み取られ、コンピュータと協働して動作する態様であっても良い。
【００９２】
又、記録媒体としては、ＲＯＭ等が含まれ、伝送媒体としては、インターネット等の伝送媒体、光・電波・音波等が含まれる。
【００９３】
又、上述した本発明のコンピュータは、ＣＰＵ等の純然たるハードウェアに限らず、ファームウェアや、ＯＳ、更に周辺機器を含むものであっても良い。
【００９４】
尚、以上説明した様に、本発明の構成は、ソフトウェア的に実現しても良いし、ハードウェア的に実現しても良い。
【００９５】
【発明の効果】
以上説明したことから明らかな様に、本発明は、再生位置情報の設定作業については、最初の記録番組に対して１回のみ基準編集情報を作成するだけで、以後の同一構成を持つ番組に対して編集作業を簡便に行うことが出来る編集装置を提供することが出来る。
【００９６】
又、本発明は、番組予約時に予約番組の番組名の設定日時情報自動取得ＯＮ／ＯＦＦ設定を行うだけで良く、番組記録後に補足タイトルを手動で追加する必要がない記録再生装置を提供することが出来る。
【００９７】
又、本発明は、番組予約時に予約記録終了後に自動的にダビング動作を行うための自動ダビングＯＮ／ＯＦＦ設定を行うだけで良く、番組の選択を行う必要がなく、ダビング操作を簡単にすることが可能な記録再生ダビング装置を提供することが出来る。
【図面の簡単な説明】
【図１】本発明にかかる実施の形態１におけるチューナ機能付きのハードディスク内蔵ＤＶＤ記録再生装置のブロック図
【図２】本発明にかかる実施の形態１における基準編集情報作成工程を示すフロー図
【図３】本発明にかかる実施の形態１における編集情報の自動変換処理工程を示すフロー図
【図４】本発明にかかる実施の形態１における予約設定動作から自動ダビング制御動作までの概略フロー図
【図５】本発明にかかる実施の形態１における予約設定動作を示すフロー図
【図６】本発明にかかる実施の形態１における番組補足タイトル情報の自動生成工程を示すフロー図
【図７】本発明にかかる実施の形態１における予約記録した番組の自動編集工程を示すフロー図
【図８】本発明にかかる実施の形態１における予約記録動作に連動した自動ダビング制御動作を示すフロー図
【図９】本発明にかかる実施の形態１における編集情報の自動変換生成及び番組補足タイトル自動生成によって作成される番組情報の一例を示す図
【符号の説明】
１  第１のメディア装置
２  第２のメディア装置
３  第１のメディア装置制御手段
４  第２のメディア装置制御手段
５  キー入力検出手段
６  表示手段
７  編集装置
８  手動編集手段
９  基準編集情報作成手段
１０  編集情報自動変換手段
１１  自動編集手段
１２  編集情報管理手段
１３  予約記録設定実行装置
１４  予約番組基本情報設定手段
１５  予約番組編集情報設定手段
１６  番組補足タイトル自動生成手段
１７  予約記録実行手段
１８  ダビング予約実行装置
１９  ダビング自動指示手段
２０  予約番組自動ダビング制御手段
２１  不揮発性記録媒体
２２  日時情報管理手段
２３    システム制御手段
【図１】
2004326953.tif 000003
【図２】
2004326953.tif 000004
【図３】
2004326953.tif 000005
【図４】
2004326953.tif 000006
【図５】
2004326953.tif 000007
【図６】
2004326953.tif 000008
【図７】
2004326953.tif 000009
【図８】
2004326953.tif 000010
【図９】
2004326953.tif 000011